(57)【要約】【課題】降雨時の野外歩行において足が濡れるのを防ぐ携帯に便利で簡単に着脱できる体裁の良い足の防水カバーを提供する。【解決手段】本発明の防水カバー１は、防水機能を有する伸縮性のある薄膜状のシートの片面に全面的に粘着剤を設けた粘着シートで構成されている。これを雨天時に靴２の甲部全体に絆創膏のように貼り付けることにより雨による足先濡れを防止またはかなり軽減することができ、使用後は簡単にはがして使い捨てにすることにより濡れたカバーの処置に手間がかからないことを特徴とする。【選択図】図１
2015112118.tif 000002
【特許請求の範囲】
【請求項１】
雨天時等に靴や足などが濡れるのを防止するための足防水カバーであって、片面に全面的に粘着部を設けた防水性のシートで構成され、足の甲部に貼り付けて水濡れによる靴の保護や水の侵入による足の不快感を改善する極めて着脱が容易で使い捨てができることを特徴とする足防水カバー。
【発明の詳細な説明】
【技術分野】
【０００１】
本発明は雨天時等において足が濡れて不快になったり靴が傷んだりするのを防ぐ簡易な足の防水カバーに関する。
【背景技術】
【０００２】
雨天等靴が濡れる恐れがある場合、ゴム長靴を履いて足が濡れるのを防ぐ方法があるが、ゴム長靴は体裁が悪く、また通気性が悪いなどの問題があり、一般的には多用されない。また、通常の靴を履いて外出中に急な降雨に見舞われる場合もある。従い、防水性の無い一般的な靴において手軽に防水する手段があれば有用と考えられる。
そのような問題解決手段として、手軽なシューズカバーの提案が為されている。
その１は防水機能を有する薄膜状の材料を用いて靴のつま先部分を袋状に被覆し、つま先と反対側は足首を通すことのできる開口部を設け、つま先と足首により防水カバーを固定し比較的簡易に靴甲部の防水を実現できるもの（特許文献１）である。
その２は防水機能をもつ靴甲部と側面部を覆うことのできる繋がったシートで構成されており、靴底部に接触する部分と、靴甲部と側面部を覆うシートが重なる部分に粘着部を設けて靴底部への粘着及び甲部と側面部の重なり部分の粘着により靴に固定させて防水することを特徴とした靴カバー（特許文献２）である。
【先行技術文献】
【特許文献】
【０００３】
【特許文献１】特開2003-210201
【特許文献２】特開2006-122535
【発明の概要】
【発明が解決しようとする課題】
【０００４】
しかし、これらの先行発明は防水カバー取り付け時に靴の脱ぎ履きが必要であったり、大きく複雑な形をした部分的に粘着部が有るシートを靴に装着したりするため、路上で手軽に取り付けることが難しい。また、防水カバーは目立たない程体裁が良いと考えられるが、現状考案されているものは一目で防水カバーが被さっていることが判ってしまう。これら防水カバーの装着性と体裁の２つの課題が本発明で解決しようとする課題である。
【課題を解決するための手段】
【０００５】
防水機能を有する伸縮性のある透明な薄膜状のシートの片面に全面的に粘着部を設けた粘着シートで構成されている防水カバーを、雨天時に靴の甲部全体に絆創膏のように貼り付けて靴の甲部全体を密着した当該防水カバーで被覆する。片面に全面的に粘着部を設けた薄膜状の防水シートは、使用前は救急絆創膏同様1枚または複数の剥離紙で粘着面は保護されており、使用時はその剥離紙を剥がして靴に貼り付けて使用する。使用後は当該シートを靴から剥がしてそのまま捨てる。
【発明の効果】
【０００６】
防水機能を有する伸縮性のある透明な薄膜状のシートを、雨天時に靴の甲部全体に絆創膏のように貼り付けることにより、靴の甲部全体が密着した透明な薄膜状のシートで被覆され、雨による足濡れを防止又は軽減することができる。また、この方法により透明の薄膜状のシートが靴甲部に絆創膏のように密着しているので、よく見ないと防水カバーを付けているのが判らない程に目立たなくすることができる。
【０００７】
片面に全面的に粘着部を設けた薄膜状の防水シートは、使用前は救急絆創膏同様1枚または複数の剥離紙で粘着面は保護されており、使用時はその剥離紙を剥がして靴に貼り付けることで急な降雨などの際、路上で極めて簡単に装着できる。また、建物内に入った後など防水シートが必要無くなったときはシートを靴から剥がしてそのまま捨てることにより、濡れた足カバーの処置に困ることもない。
【０００８】
また、当該防水シートは全面的に粘着部を設けているため、貼り付ける対象を選ばず貼り付けることができる。例えば図３のように足袋で草履履きなどの状態でも足袋の甲部全体を覆うように防水シートを貼り付けて足袋が濡れるのを防止又は軽減することができる。或いは図４のように足の甲部に通気用の穴が開いている合成樹脂性の靴やサンダルなどの甲部水濡れも防止又は軽減することができる。
【０００９】
なお、当該防水シートは片面に全面的に粘着部を設けているので、貼って剥がすことで靴にダメージを与えることが懸念されるが、救急絆創膏のように剥れ性が良い粘着部にすることで実使用上十分問題ないようにすることが可能である。
【図面の簡単な説明】
【００１０】
【図１】(a)は片面に全面的に粘着部を設けた本発明の足防水シートの代表的な形状。  (b)は本発明の防止シートを靴に装着した状態
【図２】本発明の足防水シートの粘着部を保護する複数枚から成る剥離紙の一例
【図３】足袋で草履履きの場合に本発明の足防水シートを使用した例
【図４】ゴムサンダル履きの場合に本発明の足防水シートを使用した例
【発明を実施するための形態】
【００１１】
以下、本発明の足防水シートの実施の形態について説明する。本発明の足防水シートは防水機能を有する伸縮性のある薄膜状の材料で、ポリエチレンなどの樹脂や防水加工を施されたその他薄膜状の素材でも構成できる。また、体裁の面からは目立たないことが望ましいため、透明にできる素材が望ましいと考えられる。これら適切に選択された薄膜状の防水シートを図1のように足の甲部に取り付けやすい形状にカットし、その防水シートの片面に全面的に粘着部を設け、その粘着部を剥離紙で保護した状態で持ち歩き、必要なときに剥離紙を剥がして靴の甲などに図1のように貼り付けて使用する。使用後の足防水シートは剥がして廃棄することも可能である。
【００１２】
また、靴防水シートの粘着部を保護する剥離紙は図2にように複数枚で構成して剥離紙を剥がしやすく、防水シートを足に貼りやすくするなどの工夫もできる。
【実施例】
【００１３】
本発明の実施例として代表的なものは図1のように靴に貼り付けて使用するものである。また、本発明の足防水シートは全面的に粘着部を設けているため図3のように足袋に貼って使用することもできる。或いは、図4のように穴の開いたゴムサンダル等に貼ってサンダル内への水侵入を軽減することが可能である。これら実施例はあくまで実施形態の一例であって、本発明の片面に全面的に粘着部を設けた薄膜状の防水シートは、どこにでも貼ることができるという特徴を活かした多くの使用方法が考えられる。
【符号の説明】
【００１４】
１    本発明の足防水シート
1a   本発明の足防水シートの粘着部を保護する剥離紙その１
1b   本発明の足防水シートの粘着部を保護する剥離紙その2
1c   本発明の足防水シートの粘着部を保護する剥離紙その3
２  靴
【図１】
2015112118.tif 000003
【図２】
2015112118.tif 000004
【図３】
2015112118.tif 000005
【図４】
2015112118.tif 000006